(57)【特許請求の範囲】
【請求項１】
上下に細長い前板部と、前板部の下端に後面方向に水平に突出するように装着された底板部と、底板部の下方に垂直に突出するように装着された蹴込み板部とを具備し、底板部の下面側の前後方向の複数箇所に嵌合部を設けると共に蹴込み板部の上端に上記前後方向の複数箇所の嵌合部に選択的に嵌合接続し得る被嵌合部を設けて成ることを特徴とする洗面化粧台の隙間覆い部材。
【請求項２】
前板部の上部を切断自在にして成ることを特徴とする請求項１記載の洗面化粧台の隙間覆い部材。
【発明の詳細な説明】
【０００１】
【発明の属する技術分野】
本発明は、左右の対向する壁間に洗面化粧台を設置した場合、左右のいずれかの壁と洗面化粧台の側端との間にできる隙間を覆うのに用いる洗面化粧台の隙間覆い部材に関するものである。
【０００２】
【従来の技術】
従来、この種のフィラーと称される隙間覆い部材Ａは図６に示すように上下に長い前板部１の下部の後面側に蹴込み板部２を垂直に取り付けて形成されている。洗面化粧台Ｂは建物の凹所の左右の壁１０間に設置され、図７に示すように一方の壁１０と洗面化粧台Ｂの側端との間にある隙間の前面側には上記隙間覆い部材Ａが配置されて取り付けられる。図７で１１は洗面化粧台Ｂのキャビネット、１２はカウンター、１３は洗面ボウル、１４はキャビネット１１の前面部、１５は蹴込み板、１６はキャビネット１１の上部に取り付けた前幕板である。
【０００３】
【発明が解決しようとする課題】
ところで、洗面化粧台Ｂのキャビネット１１には図８に示すような浅型キャビネットと、図９に示すような深型キャビネットとがあり、前面部１４と蹴込み板１５の位置関係が異なり（浅型キャビネットは前面板１４と蹴込み板１５との間の間隔はａと小さく、深型キャビネットは前面板１４と蹴込み板１５との間の間隔はｂと大きい）、浅型用と深型用の隙間覆い部材Ａを用意して施工する必要があり、隙間覆い部材Ａとして２種通のものが必要となるという問題があった。また図１０に示すように前幕板１６がキャビネット１１の端から端まで通らないような浅型の構造の場合にも、隙間覆い部材Ａの高さは共通でありながら、蹴込み位置の違いのために隙間覆い部材Ａは２種類必要であった。従って４種類の隙間覆い部材Ａが必要であった。
【０００４】
本発明は叙述の点に鑑みてなされたものであって、浅型用のキャビネットと深型用のキャビネットとに共用できて部材の品種を少なくできる洗面化粧台の隙間覆い部材を提供するにある。
【０００５】
【課題を解決するための手段】
上記課題を解決するため本発明の請求項１の洗面化粧台の隙間覆い部材Ａは、上下に細長い前板部１と、前板部１の下端に後面方向に水平に突出するように装着された底板部３と、底板部３の下方に垂直に突出するように装着された蹴込み板部２とを具備し、底板部３の下面側の前後方向の複数箇所に嵌合部４を設けると共に蹴込み板部２の上端に上記前後方向の複数箇所の嵌合部４に選択的に嵌合接続し得る被嵌合部５を設けて成ることを特徴とする。被嵌合部５を嵌合接続する嵌合部４を変えることにより蹴込み板部２を前に取り付けたり、蹴込み板部２を後ろに取り付けたりできて１種類の隙間覆い部材Ａで浅型用のキャビネットと深型用のキャビネットとに共用できて部材の品種を少なくできる。
【０００６】
また本発明の請求項２の洗面化粧台の隙間覆い部材Ａは、請求項１において、前板部１の上部を切断自在にして成ることを特徴とする。前板部１の上部を切断することで隙間覆い部材Ａの高さを変えて高さの違いにも対応することができる。
【０００７】
【発明の実施の形態】
隙間覆い部材Ａは図１、図２、図３に示すように上下に細長い前板部１と、前板部１の下端に後面方向に水平に突出するように装着された底板部３と、底板部３の下方に垂直に突出するように装着された蹴込み板部２とで構成されている。この前板部１と底板部３と蹴込み板部２は木質材で形成されるものであり、例えばパーチクルボードの表面に塩化ビニル化粧シートを貼着して形成されている。前板部１の背面の一側及び蹴込み板部２の背面の一側にはＬ字状の取り付け金具６の一片が装着されている。前板部１の下端の後面と底板部３の上面との間にはＬ字状の連結金具７が配置され、連結金具７の一片が前板部１に固着されていると共に連結金具７の他片が底板部３に固着されている。底板部３の下面側には図４に示すように前後方向に複数（本例の場合２個）の嵌合部４が設けられている。本例の場合、嵌合部４はダボ孔４ａで３個のダボ孔４ａを１組として前後に複数列（本例の場合２列）設けてある。蹴込み板部２の上端には上記嵌合部４に嵌合接続する被嵌合部５が形成されるのであるが、本例の場合、蹴込み板部２の上端に図５に示すように３個のダボ５ａを装着すること設けてある。つまり、蹴込み板部２の上端に３個のダボ孔８を設けてあり、このダボ孔８に夫々ダボ５ａの一端側を嵌合接続してダボ５ａの他端側を被嵌合部５としてある。
【０００８】
上記のように隙間覆い部材Ａが形成され、図２に示すように底板部３の前側に位置する嵌合部４としてのダボ孔４ａに蹴込み板部２の被嵌合部５としてのダボ５ａを嵌合することで蹴込み板部２を前側に取り付けることができ、また図３に示すように底板部６の後側に位置する嵌合部４としてのダボ孔４ａに蹴込み板部２の被嵌合部５としてのダボ５ａを嵌合することで蹴込み板部２を後側に取り付けることができる。また隙間覆い部材Ａの前板部１は木質材にて形成されており、前板部１の上端部を適宜高さで自在に切断して高さ変更に対応できるようになっている。従来例で述べたように洗面化粧台Ｂは建物の凹所の左右の壁１０間に設置され、一方の壁１０と洗面化粧台Ｂの側端との間にある隙間の前面側には上記隙間覆い部材Ａが配置され、取り付け金具６を壁１０に固着することで隙間覆い部材Ａが取り付けられる。このとき洗面化粧台Ｂのキャビネット１１が浅型でも深型でも隙間覆い部材Ａの蹴込み板部２の取り付け位置を前後に変えるだけで対応できる。
【０００９】
【発明の効果】
本発明の請求項１の発明は、上下に細長い前板部と、前板部の下端に後面方向に水平に突出するように装着された底板部と、底板部の下方に垂直に突出するように装着された蹴込み板部とで隙間覆い部材を構成し、底板部の下面側の前後方向の複数箇所に嵌合部を設けると共に蹴込み板部の上端に上記前後方向の複数箇所の嵌合部に選択的に嵌合接続し得る被嵌合部を設けているので、被嵌合部を嵌合接続する嵌合部を変えることにより蹴込み板部を前に取り付けたり、蹴込み板部を後ろに取り付けたりできるものであって、１種類の隙間覆い部材で浅型用のキャビネットと深型用のキャビネットとに共用できて部材の品種を少なくできるものである。
【００１０】
また本発明の請求項２の発明は、請求項１において、前板部の上部を切断自在にしているので、前板部の上部を切断することで隙間覆い部材の高さを変えて高さの違いにも対応することができるものである。
【図面の簡単な説明】
【図１】本発明の実施の形態の一例の隙間覆い部材を示す斜視図である。
【図２】同上の蹴込み板部を前に取り付けた状態を示し、（ａ）は平面図、（ｂ）は正面図、（ｃ）は側面図である。
【図３】同上の蹴込み板部を後に取り付けた状態を示し、（ａ）は平面図、（ｂ）は正面図、（ｃ）は側面図である。
【図４】同上の底板部を示し、（ａ）は正面図、（ｂ）は底面図、（ｃ）は側面図である。
【図５】同上の蹴込み板部を示し、（ａ）は平面図、（ｂ）は正面図、（ｃ）は側面図である。
【図６】従来例の隙間覆い部材を示す斜視図である。
【図７】洗面化粧台の側部を隙間覆い部材で仕舞った状態の斜視図である。
【図８】浅型の洗面化粧台の断面図である。
【図９】深型の洗面化粧台の断面図である。
【図１０】さらに他例の洗面化粧台の斜視図である。
【符号の説明】
Ａ  隙間覆い部材
１  前板部
２  蹴込み板部
３  底板部
４  嵌合部
５  被嵌合部
【図１】
0003543600.tif 000002
【図２】
0003543600.tif 000003
【図３】
0003543600.tif 000004
【図４】
0003543600.tif 000005
【図５】
0003543600.tif 000006
【図６】
0003543600.tif 000007
【図７】
0003543600.tif 000008
【図８】
0003543600.tif 000009
【図９】
0003543600.tif 000010
【図１０】
0003543600.tif 000011